(57)【要約】      （修正有）【課題】矢筒内の、呼気による水分・微塵等を容易に除去し良好・清潔・衛生的状態等を維持をできる矢筒ケースを提案する。【解決手段】呼気による水分と微塵等を除去するためのスポンジ３等と、そのスポンジ等を支える適宜な長さのロット４を矢筒２内に設置した矢筒ケース１と、矢筒ケースの下部の蓋６と、矢筒ケースとロットが直結部分となる上部の蓋７、で構成した【選択図】図１
2016155598.tif 000002
【特許請求の範囲】
【請求項１】
符号１．の内側に、符号７．の内側の符号９．により着脱自在に連接した符号４．に符号３．を設置した構造で構成した事を特徴とする吹き矢筒ケース
【請求項２】
符号１．と符号７．を、符号８．により連接する構造に構成した事を特徴とする請求項１の吹き矢筒ケース
【発明の詳細な説明】
【技術の分野】
【０００１】  現存するスポーツ吹き矢・レクリエーション吹き矢等にて、用いる吹き矢筒の、収納・安全保管等と挿入瞬時に微塵・水分・汚れ等を除去する携帯矢筒ケース。
【背景技術】
【０００２】  古くから、吹き矢は、獲物を得んがための狩の道具として使用されていた。【０００３】  現在の吹き矢は、ルール上で競い合うスポーツ吹き矢・地域コミュニティー相互間親睦のためのレクリエーション吹き矢等がある。
【特許文献】
【０００４】  特許電子図書館の特許実用新案で、キーワード・吹き矢筒安全収納・収納瞬時微塵水分等除去する吹き矢筒保管ケースでの検索結果、案件は０件でした。
【非特許文献】
【０００５】  スポーツ吹き矢・レクリエーション吹き矢サークル等へ集まる選手達・人々は、各自の吹き矢筒を各々適宜に包んで持参している。又、関係各社の販売カタログ等にもまだ見つけられなかった。
【発明の概要】
【発明が解決しようとする課題】
【０００６】  吹き矢筒内は不潔になりやすく、清潔・良好状態等に保つ必要がある、という課題がある。以下、詳細に考察すると、１．吹き矢筒で矢を吹くと、呼気に含まれる水分が、吹き矢筒内に付着する。その状態を維持すると、吹き矢筒内の水分摩擦等により、次に射る矢の的に集中する確立が、低下するという課題がある。２．吹き矢筒で矢を吹くと、口腔内の微塵等が吹き矢筒内に付着し、カビ等の発生する確立が高くなる等、不衛生状態になりやすいという課題がある。【０００７】  従って、上記説明のように、吹き矢筒（以下、矢筒という）を安全な収納・保管に留意しなくてはいけないという必要性に課題がある。【０００８】  矢筒は、真っ直ぐでなければいけない、湾曲してもいけない、破損してもいけない。でなければ、それでは矢を吹きにくく射にくくなり、例えなんとか吹く事ができても、従来の機能が損なわれて矢の集中の効果が得られにくくなるという課題がある。【０００９】  矢筒が、手元を離れても安心できる収納・保管等状態が必要であるという課題がある。【００１０】  矢筒は、移動時の安全な携帯方法に課題がある。以下、詳細考察する。１．矢筒の持参・輸送時の際に、矢筒が、何かに被われていないと時として落としたりぶつけたりした結果、損傷・破損等を招きやすい。２．自分でも知らず知らずのうちに矢筒の損傷・破損等を防ごうとする無意識配慮等が、ついストレスになってしまう。という課題がある。【００１１】  矢筒は、各界の吹き矢のルール上各規格が一定であるために、複数個の同様の矢筒が一同に会した場面では、矢筒所有者間の自他の区別がつきにくくて、ともすれば各会場で混交する場合いがあり、いたずらに緒事情の難儀が生じやすいという課題がある。【００１２】  矢筒を、個人で複数個所有している場合があるという問題がある。
【課題を解決するための手段】
【００１３】  上記課題を解決するために、矢筒内の、呼気による水分・微塵等を容易に除去し良好・清潔・衛生的状態等の維持を可能にするために、本発明による手段は、呼気による水分と微塵等を除去するためのスポンジ等と、そのスポンジ等を支える適宜な長さのロットを矢筒内に設置した矢筒ケースと、矢筒ケースの下部の蓋と、矢筒ケースとロットが直結部分となる上部の蓋、の構造で構成した事を特徴とする矢筒ケースを発明し、解決の手段を講じた。【００１４】  上記課題を解決するためには、矢筒を、本発明による矢筒ケースへ収納時に、符号４．が矢筒内を移動する作用により、１．次に射る矢の、摩擦抵抗を減少方向に計り、結果吹き手の自在にまかせやすい、２．矢筒内の清潔・衛生的状態等を維持しやすいという解決の手段を講じた。【００１５】  上記課題を解決するために、本発明による矢筒ケースに矢筒を収納する事で、安全保管等を確保し、矢筒が常時真っ直ぐで湾曲しにくく損壊し難くて、結果、矢が的に集中する確立が高くなるという解決の手段を講じた。【００１６】  上記課題を解決するために、強固該の、本発明による矢筒ケースに矢筒を収納・保管等する事により、常時留意しなければならないストレスから開放されるという解決の手段を講じた。【００１７】  上記問題を解決するために、本発明による矢筒ケースへ矢筒を収納保管し、その持参・郵送等の移動・携帯が可能である。矢筒は、強固な該、矢筒ケースに被われているため手元から離せる事ができるという解決の手段を講じた。【００１８】      ［００１３］から［００１７］述を踏まえて、複数個の矢筒を、矢筒ケースに同時収納・保管等を可能にするための構成手段も講じた。
【発明の効果】
【００１９】  呼気による水分・微塵等を除去するスポンジ等を支えるロットを、矢筒内を移動させる作用で、それら除去する効果がある。【００２０】  矢筒を矢筒ケースへ収納保管瞬時に、清潔・衛生的状態になり、微塵・水分・汚れ等による不快感が減少化する効果がある。【００２１】  矢筒ケースへ、矢筒を収納保管・取り出し・矢筒で吹く行為、を繰り返しても、矢筒内のスポンジ等・ロットの清掃・洗浄もしくは別途交換も可能であり、矢筒内の清潔・衛生的状態等を維持効果がある。【００２２】  吹き矢筒内が、常時に清潔・衛生的状態なために、最良状態様で吹き矢を吹くことができ、吹かれた矢は余計な抵抗が少ないために、的に集中する確立が高くなる。吹き手の自在を得られやすいその効果は大である。【００２３】  矢筒を、強固該、矢筒ケースに収納・保管をすれば、矢筒の湾曲・破損・損害等を免れやすく、矢筒の安全な保持に常時留意し続けなければいけないストレスから開放される効果がある。【００２４】  矢筒を、矢筒ケースに収納・保管できる事により、矢筒の持参・輸送等の移動・携帯等が著しく容易であるという効果がある。【００２５】  矢筒ケースを使用する事により矢筒の移動・携帯等が容易にでき、人々の吹き矢試合・レクリエーション等への参加が活発化増加するという効果がある。【００２６】  本発明は、製造が容易で安価であるために、吹き矢用品業界の利益拡大・吹き矢人口増大に貢献するという効果がある。【００２７】  矢筒の矢筒ケースへの収納・保管により、矢筒の消耗頻度が低下する、と同時に、矢筒の美品状態が長期に続く効果がある。【００２８】  矢筒の矢筒ケースへの収納・保管可能により損傷・破損等が極少化した結果、それらは各自愛用品となる、又、矢筒の取り替え・交換頻度を下げる効果がある。【００２９】  矢筒ケースにより、矢筒所有者間の自他の区別化を計りやすくて、自他のそれが混交する場面等が軽減する効果がある。【００３０】  矢筒ケースにより、矢筒所有者間の自他の区別化を計りやすいという事は、相互間清潔・衛生的関係に貢献する効果がある。【００３１】  個人で複数個の矢筒を所有している場合も、それら複数個を同矢筒ケースに収納・保管等が可能であるため、保持・所有・管理等が容易になる効果がある。【００３２】  本発明は、安価であり、求めやすくて世に出回りやすい。ため、吹き矢界の繁栄に寄与する効果がある。【００３３】  本発明を用いる事により、余計な雑念をいれずに吹き矢に集中しやすく吹き手の自在に吹ける等の、ノーストレス事に貢献する効果がある。
【図面の簡単な説明】
【００３４】
【図１】    ケースに収納された吹き矢筒の縦割り断面図
【図２】    横割り断面図
【図３】    収納と筒内の作用を矢印で示す縦割り断面図
【発明を実施するための形態】
【実施例】
【００３５】  本発明の、実施の一例を図面の符号に基づき詳説する。符号１．の両端に符号６．・符号７．を設置し、矢筒を収納・保管等の通常使用時は、符号６．を開閉して矢筒の挿入・収納・保管・取り出し等の造作構成からなる。【００３６】  符号６．を開いた状態では、符号１．の内径中央に、符号４．によりささえられた符号３．を設置し、符号２．の挿入・取り出し作用でその機能を発揮するものである。【００３７】  矢筒を符号１．に収納・保管等をする時は、矢筒内径に符号３．を挿入しつつ収納するよう構成されている。【００３８】  符号３．が破損・汚れ等による使用不可の場合は、符号１．より符号７．を脱却し符号４．を取り出して符号３．の洗浄・清潔化・別途交換等の処理する事ができる。【００３９】  本発明は、矢筒の収納・取り出し口を、符号１．の両端に符号６．・符号７．を連設されるものである。【００４０】  本発明の矢筒ケースを、暫定、符号６．を天とし符合７．を地とするに対して、符号１．を水平に考えて、縦方向・上下方向・もしくは底と蓋に分ける事が、できる構成とする構造も可能である（図示無し）。その場合は、その分割する部分が矢筒の収納・取り出し口になる。又、その場合、符号４．は符号７．の一片に着脱可能に設置する構成である。
【符号の説明】
【００４１】    １．  吹き矢筒ケース
２．  吹き矢筒
３．  ５．を除去するためのスポンジ等
４．  ３．を支えるための適宜な長さのロット
５．  水分等不純物
６．  １．の一端の蓋
７．  １．と４．の直結部分となる一端の蓋
８．  １．と７．の着脱自在になっている連接部分
９．  ４．と７．の連接部分
【図１】
2016155598.tif 000003
【図２】
2016155598.tif 000004
【図３】
2016155598.tif 000005